【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
外部信号を入力するための外部入力手段と、
電動機を用いた回転機構を有して構成され時刻を表示する表示手段を有し、使用者に報知を行う報知手段と、
前記電動機へ駆動電力を供給するための蓄電手段の蓄電電圧に対応する電圧値を検出するとともに、検出した電圧と所定の電圧とを比較する比較手段と、
前記外部入力手段によって所定の外部信号が入力された場合に前記蓄電手段からの放電を開始し、前記比較手段による比較結果が所定の条件を満足した場合に前記蓄電手段からの放電を停止する放電制御手段と、
前記外部入力手段によって所定の外部信号が入力された場合に前記報知手段の報知状態を第１の状態に制御し、その後、前記蓄電手段が蓄電され前記比較手段による比較結果が所定の条件を満足した場合に前記報知手段の報知状態を第１の状態とは異なる第２の状態に制御する充電状態判別手段と、
前記電動機の駆動異常を検出する異常検出手段と、
前記外部入力手段によって所定の外部信号が入力された場合に前記報知手段の報知状態を第３の状態に制御し、前記異常検出手段によって異常が検出された場合に前記報知手段の報知状態を第３の状態とは異なる第４の状態に制御する異常駆動判別手段と、
を備えることを特徴とする電子時計。
【請求項２】
前記異常検出手段は、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出する
ことを特徴とする請求項１に記載の電子時計。
【請求項３】
前記異常駆動判別手段は、前記報知手段の報知状態を前記第４の状態に制御している状況下で前記所定の外部信号とは異なる第２の外部信号が前記外部入力手段へ入力された場合に、前記報知手段の報知状態を前記第３の状態へ戻す制御を行う
ことを特徴とする請求項１に記載の電子時計。
【請求項４】
外部信号を入力するための外部入力手段と、
電動機を用いた回転機構を有して構成され時刻を表示する表示手段と、
使用者に報知を行う報知手段と、
前記電動機の駆動異常を検出する異常検出手段と、
前記外部入力手段によって所定の外部信号が入力された場合に前記報知手段の報知状態を第１の状態に制御し、前記異常検出手段によって異常が検出された場合に前記報知手段の報知状態を第１の状態とは異なる第２の状態に制御する異常駆動判別手段と、
を備え、
前記異常検出手段は、
前記電動機の駆動中に、前記電動機の通常の駆動を行うための通常駆動パルスよりも実効電力が大きい補助パルスでのパルス駆動が２以上の所定回数以上連続して行われた場合に、駆動異常を検出する
ことを特徴とする電子時計。
【請求項５】
外部信号を入力するための外部入力手段と、
電動機を用いた回転機構を有して構成され時刻を表示する表示手段と、
使用者に報知を行う報知手段と、
前記電動機の駆動異常を検出する異常検出手段と、
前記外部入力手段によって所定の外部信号が入力された場合に前記報知手段の報知状態を第１の状態に制御し、前記異常検出手段によって異常が検出された場合に前記報知手段の報知状態を第１の状態とは異なる第２の状態に制御する異常駆動判別手段と、
を備え、
前記異常駆動判別手段は、
前記報知手段の報知状態を前記第２の状態に制御している状況下で前記所定の外部信号とは異なる第２の外部信号が前記外部入力手段へ入力された場合に、前記報知手段の報知状態を前記第１の状態へ戻す制御を行う
ことを特徴とする電子時計。
【請求項６】
外部信号を入力するための外部入力手段と、
電動機を用いた回転機構を有して構成され時刻を表示する表示手段と、
前記電動機の駆動異常を検出する異常検出手段と、
前記外部入力手段によって所定の外部信号が入力された場合に前記表示手段の表示状態を第１の状態に制御し、前記異常検出手段によって異常が検出された場合に前記表示手段の表示状態を第１の状態とは異なる第２の状態に制御する異常駆動判別手段と、
を備え、
前記異常検出手段は、
前記電動機の駆動中に、前記電動機の通常の駆動を行うための通常駆動パルスよりも実効電力が大きい補助パルスでのパルス駆動が２以上の所定回数以上連続して行われた場合に、駆動異常を検出する
ことを特徴とする電子時計。
【請求項７】
外部信号を入力するための外部入力手段と、
電動機を用いた回転機構を有して構成され時刻を表示する表示手段と、
前記電動機の駆動異常を検出する異常検出手段と、
前記外部入力手段によって所定の外部信号が入力された場合に前記表示手段の表示状態を第１の状態に制御し、前記異常検出手段によって異常が検出された場合に前記表示手段の表示状態を第１の状態とは異なる第２の状態に制御する異常駆動判別手段と、
を備え、
前記異常駆動判別手段は、
前記表示手段の表示状態を前記第２の状態に制御している状況下で前記所定の外部信号とは異なる第２の外部信号が前記外部入力手段へ入力された場合に、前記表示手段の表示状態を前記第１の状態へ戻す制御を行う
ことを特徴とする電子時計。
【請求項８】
外部信号を入力するための外部入力手段と、
電動機を用いた回転機構を有して構成され時刻を表示する表示手段を有し、使用者に報知を行う報知手段と、
前記電動機へ駆動電力を供給するための蓄電手段の蓄電電圧に対応する電圧値を検出するとともに、検出した電圧と所定の電圧とを比較する比較手段と、
前記外部入力手段によって所定の外部信号が入力された場合に前記蓄電手段からの放電を開始し、前記比較手段による比較結果が所定の条件を満足した場合に前記蓄電手段からの放電を停止する放電制御手段と、
前記電動機の駆動異常を検出する異常検出手段と、
前記外部入力手段によって所定の外部信号が入力された場合に前記報知手段の報知状態を第１の状態に制御し、前記異常検出手段によって異常が検出された場合に前記報知手段の報知状態を第１の状態とは異なる第２の状態に制御する異常駆動判別手段と、
を備えることを特徴とする電子時計。
【請求項９】
外部信号を入力するための外部入力手段と、
電動機を用いた回転機構を有して構成され時刻を表示する表示手段と、
前記電動機へ駆動電力を供給するための蓄電手段の蓄電電圧に対応する電圧値を検出するとともに、検出した電圧と所定の電圧とを比較する比較手段と、
前記外部入力手段によって所定の外部信号が入力された場合に前記蓄電手段からの放電を開始し、前記比較手段による比較結果が所定の条件を満足した場合に前記蓄電手段からの放電を停止する放電制御手段と、
前記電動機の駆動異常を検出する異常検出手段と、
前記外部入力手段によって所定の外部信号が入力された場合に前記表示手段の表示状態を第１の状態に制御し、前記異常検出手段によって異常が検出された場合に前記表示手段の表示状態を第１の状態とは異なる第２の状態に制御する異常駆動判別手段と、
を備えることを特徴とする電子時計。
【請求項１０】
前記異常検出手段は、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出する
ことを特徴とする請求項８又は９に記載の電子時計。
【請求項１１】
前記異常駆動判別手段は、前記報知手段の報知状態を前記第２の状態に制御している状況下で前記所定の外部信号とは異なる第２の外部信号が前記外部入力手段へ入力された場合に、前記報知手段の報知状態を前記第１の状態へ戻す制御を行う
ことを特徴とする請求項８に記載の電子時計。
【請求項１２】
前記異常駆動判別手段は、前記表示手段の表示状態を前記第２の状態に制御している状況下で前記所定の外部信号とは異なる第２の外部信号が前記外部入力手段へ入力された場合に、前記表示手段の表示状態を前記第１の状態へ戻す制御を行う
ことを特徴とする請求項９に記載の電子時計。
【請求項１３】
外部信号を入力するための外部入力手段と、
電動機を用いた回転機構を有して構成され時刻を表示する表示手段を有し、使用者に報知を行う報知手段と、
前記前記電動機へ駆動電力を供給するための蓄電手段の蓄電電圧に対応する電圧値を検出するとともに、検出した電圧と所定の電圧とを比較する比較手段と、
前記外部入力手段によって所定の外部信号が入力された場合に前記報知手段の報知状態を第１の状態に制御し、その後、前記蓄電手段が蓄電され前記比較手段による比較結果が所定の条件を満足した場合に前記報知手段の報知状態を第１の状態とは異なる第２の状態に制御する充電状態判別手段と、
前記電動機の駆動異常を検出する異常検出手段と、
前記外部入力手段によって所定の外部信号が入力された場合に前記報知手段の報知状態を第３の状態に制御し、前記異常検出手段によって異常が検出された場合に前記報知手段の報知状態を第３の状態とは異なる第４の状態に制御する異常駆動判別手段と、
を備え、
前記異常検出手段は、
前記電動機の駆動中に、前記電動機の通常の駆動を行うための通常駆動パルスよりも実効電力が大きい補助パルスでのパルス駆動が２以上の所定回数以上連続して行われた場合に、駆動異常を検出する
ことを特徴とする電子時計。
【請求項１４】
外部信号を入力するための外部入力手段と、
電動機を用いた回転機構を有して構成され時刻を表示する表示手段と、
前記電動機へ駆動電力を供給するための蓄電手段の蓄電電圧に対応する電圧値を検出するとともに、検出した電圧と所定の電圧とを比較する比較手段と、
前記外部入力手段によって所定の外部信号が入力された場合に前記表示手段の表示状態を第１の状態に制御し、その後、前記蓄電手段が蓄電され前記比較手段による比較結果が所定の条件を満足した場合に前記表示手段の表示状態を第１の状態とは異なる第２の状態に制御する充電状態判別手段と、
前記電動機の駆動異常を検出する異常検出手段と、
前記外部入力手段によって所定の外部信号が入力された場合に前記表示手段の表示状態を第３の状態に制御し、前記異常検出手段によって異常が検出された場合に前記表示手段の表示状態を第３の状態とは異なる第４の状態に制御する異常駆動判別手段と、
を備え、
前記異常検出手段は、
前記電動機の駆動中に、前記電動機の通常の駆動を行うための通常駆動パルスよりも実効電力が大きい補助パルスでのパルス駆動が２以上の所定回数以上連続して行われた場合に、駆動異常を検出する
ことを特徴とする電子時計。
【請求項１５】
外部信号を入力するための外部入力手段と、
電動機を用いた回転機構を有して構成され時刻を表示する表示手段を有し、使用者に報知を行う報知手段と、
前記電動機へ駆動電力を供給するための蓄電手段の蓄電電圧に対応する電圧値を検出するとともに、検出した電圧と所定の電圧とを比較する比較手段と、
前記外部入力手段によって所定の外部信号が入力された場合に前記報知手段の報知状態を第１の状態に制御し、その後、前記蓄電手段が蓄電され前記比較手段による比較結果が所定の条件を満足した場合に前記報知手段の報知状態を第１の状態とは異なる第２の状態に制御する充電状態判別手段と、
前記電動機の駆動異常を検出する異常検出手段と、
前記外部入力手段によって所定の外部信号が入力された場合に前記報知手段の報知状態を第３の状態に制御し、前記異常検出手段によって異常が検出された場合に前記報知手段の報知状態を第３の状態とは異なる第４の状態に制御する異常駆動判別手段と、
を備え、
前記異常駆動判別手段は、
前記報知手段の報知状態を前記第４の状態に制御している状況下で前記所定の外部信号とは異なる第２の外部信号が前記外部入力手段へ入力された場合に、前記報知手段の報知状態を前記第３の状態へ戻す制御を行う
ことを特徴とする電子時計。
【請求項１６】
外部信号を入力するための外部入力手段と、
電動機を用いた回転機構を有して構成され時刻を表示する表示手段と、
前記電動機へ駆動電力を供給するための蓄電手段の蓄電電圧に対応する電圧値を検出するとともに、検出した電圧と所定の電圧とを比較する比較手段と、
前記外部入力手段によって所定の外部信号が入力された場合に前記表示手段の表示状態を第１の状態に制御し、その後、前記蓄電手段が蓄電され前記比較手段による比較結果が所定の条件を満足した場合に前記表示手段の表示状態を第１の状態とは異なる第２の状態に制御する充電状態判別手段と、
前記電動機の駆動異常を検出する異常検出手段と、
前記外部入力手段によって所定の外部信号が入力された場合に前記表示手段の表示状態を第３の状態に制御し、前記異常検出手段によって異常が検出された場合に前記表示手段の表示状態を第３の状態とは異なる第４の状態に制御する異常駆動判別手段と、
を備え、
前記異常駆動判別手段は、
前記表示手段の表示状態を前記第４の状態に制御している状況下で前記所定の外部信号とは異なる第２の外部信号が前記外部入力手段へ入力された場合に、前記表示手段の表示状態を前記第３の状態へ戻す制御を行う
ことを特徴とする電子時計。
【請求項１７】
電動機を用いた回転機構を有する表示手段を駆動させて時刻表示を行う電子時計の検査方法において、
前記電子時計に、
所定の外部信号が入力された場合に、第１の状態で表示が為されるように前記表示手段の表示状態を制御する第１のステップと、
前記第１の状態で表示が為されるように前記表示手段の表示状態を制御した後、前記電動機の駆動中に、前記電動機の通常の駆動を行うための通常駆動パルスよりも実効電力が大きい補助パルスでのパルス駆動が２以上の所定回数以上連続して行われたことを検出した場合に、前記表示手段の表示状態を第１の状態とは異なる第２の状態へ切り替える第２のステップと、
を行わせることを特徴とする電子時計の検査方法。
【請求項１８】
電動機を用いた回転機構を有する表示手段を駆動させて時刻表示を行う電子時計の検査方法において、
前記電子時計に、
所定の外部信号が入力された場合に前記電動機へ駆動電力を供給するための蓄電手段からの放電を開始するとともに、前記蓄電手段の蓄電電圧に対応する電圧値を検出し、検出された電圧と所定の電圧とを比較して、その比較結果が所定の条件を満足した場合に前記蓄電手段からの放電を停止する第１のステップと、
所定の外部信号が入力された場合に、第１の状態で表示が為されるように前記表示手段の表示状態を制御し、その後、前記電動機の駆動異常が検出された場合に前記表示手段の表示状態を第１の状態とは異なる第２の状態へ切替える第２のステップと、
を行わせることを特徴とする電子時計の検査方法。
【請求項１９】
電動機を用いた回転機構を有する表示手段を駆動させて時刻表示を行う電子時計の検査方法において、
前記電子時計に、
所定の外部信号が入力された場合に第１の状態で表示が為されるように前記表示手段の表示状態を制御し、その後、前記電動機へ駆動電力を供給するための蓄電手段を蓄電するとともにその蓄電電圧に対応する電圧値を検出し、検出された電圧と所定の電圧との比較結果が所定の条件を満足した場合に前記第１の状態とは異なる第２の状態で表示が為されるように前記表示手段の表示状態を制御する第１のステップと、
所定の外部信号が入力された場合に第３の状態で表示が為されるように前記表示手段の表示状態を制御し、その後、前記電動機の駆動異常が検出された場合に前記第３の状態とは異なる第４の状態で表示が為されるように前記表示手段の表示状態を制御する第２のステップと、
を行わせ、
前記第２のステップにおいては、
前記電動機の駆動中に、前記電動機の通常の駆動を行うための通常駆動パルスよりも実効電力が大きい補助パルスでのパルス駆動が２以上の所定回数以上連続して行われた場合に、駆動異常を検出する
ことを特徴とする電子時計の検査方法。
【請求項２０】
電動機を用いた回転機構を有する表示手段を駆動させて時刻表示を行う電子時計の検査方法において、
前記電子時計に、
所定の外部信号が入力された場合に第１の状態で表示が為されるように前記表示手段の表示状態を制御し、その後、前記電動機へ駆動電力を供給するための蓄電手段を蓄電するとともにその蓄電電圧に対応する電圧値を検出し、検出された電圧と所定の電圧との比較結果が所定の条件を満足した場合に前記第１の状態とは異なる第２の状態で表示が為されるように前記表示手段の表示状態を制御する第１のステップと、
所定の外部信号が入力された場合に第３の状態で表示が為されるように前記表示手段の表示状態を制御し、前記電動機の駆動異常が検出された場合に前記第３の状態とは異なる第４の状態で表示が為されるように前記表示手段の表示状態を制御する第２のステップと、
を行わせ、
前記第２のステップにおいては、
前記表示手段の表示状態を前記第４の状態に制御している状況下で前記所定の外部信号とは異なる第２の外部信号が入力された場合に、前記表示手段の表示状態を前記第３の状態へ戻す制御を行わせる
ことを特徴とする電子時計の検査方法。
【請求項２１】
電動機を用いた回転機構を有する表示手段を駆動させて時刻表示を行う電子時計の検査方法において、
前記電子時計に、
所定の外部信号が入力された場合に、第１の状態で表示が為されるように前記表示手段の表示状態を制御し、その後、前記電動機の駆動異常が検出された場合に、前記表示手段の表示状態を第１の状態とは異なる第２の状態へ切り替える第１のステップと、
前記表示手段の表示状態を前記第２の状態に切替えた後に、前記所定の外部信号とは異なる第２の外部信号が入力された場合に、前記表示手段の表示状態を前記第１の状態へ戻す制御を行う第２のステップと
を行わせることを特徴とする検査方法。
【手続補正２】
【補正対象書類名】明細書
【補正対象項目名】０００１
【補正方法】変更
【補正の内容】
【０００１】
【発明の属する技術分野】
本発明は、電動機を用いた回転機構を有する表示手段を駆動させて時刻表示を行う電子時計及びその検査方法に関する。
【手続補正３】
【補正対象書類名】明細書
【補正対象項目名】００１１
【補正方法】変更
【補正の内容】
【００１１】
【課題を解決するための手段】
上記課題を解決するため請求項１記載の発明は、外部信号を入力するための外部入力手段と、電動機を用いた回転機構を有して構成され時刻を表示する表示手段を有し、使用者に報知を行う報知手段と、前記電動機へ駆動電力を供給するための蓄電手段の蓄電電圧に対応する電圧値を検出するとともに、検出した電圧と所定の電圧とを比較する比較手段と、前記外部入力手段によって所定の外部信号が入力された場合に前記蓄電手段からの放電を開始し、前記比較手段による比較結果が所定の条件を満足した場合に前記蓄電手段からの放電を停止する放電制御手段と、前記外部入力手段によって所定の外部信号が入力された場合に前記報知手段の報知状態を第１の状態に制御し、その後、前記蓄電手段が蓄電され前記比較手段による比較結果が所定の条件を満足した場合に前記報知手段の報知状態を第１の状態とは異なる第２の状態に制御する充電状態判別手段と、前記電動機の駆動異常を検出する異常検出手段と、前記外部入力手段によって所定の外部信号が入力された場合に前記報知手段の報知状態を第３の状態に制御し、前記異常検出手段によって異常が検出された場合に前記報知手段の報知状態を第３の状態とは異なる第４の状態に制御する異常駆動判別手段と、を備えることを特徴としている。また、請求項２記載の発明は、請求項１に記載の発明において、前記異常検出手段は、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出することを特徴としている。また、請求項３記載の発明は、請求項１に記載の発明において、前記異常駆動判別手段は、前記報知手段の報知状態を前記第４の状態に制御している状況下で前記所定の外部信号とは異なる第２の外部信号が前記外部入力手段へ入力された場合に、前記報知手段の報知状態を前記第３の状態へ戻す制御を行うことを特徴としている。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、請求項４記載の発明は、外部信号を入力するための外部入力手段と、電動機を用いた回転機構を有して構成され時刻を表示する表示手段と、使用者に報知を行う報知手段と、前記電動機の駆動異常を検出する異常検出手段と、前記外部入力手段によって所定の外部信号が入力された場合に前記報知手段の報知状態を第１の状態に制御し、前記異常検出手段によって異常が検出された場合に前記報知手段の報知状態を第１の状態とは異なる第２の状態に制御する異常駆動判別手段と、を備え、前記異常検出手段は、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出することを特徴としている。また、請求項５記載の発明は、外部信号を入力するための外部入力手段と、電動機を用いた回転機構を有して構成され時刻を表示する表示手段と、使用者に報知を行う報知手段と、前記電動機の駆動異常を検出する異常検出手段と、前記外部入力手段によって所定の外部信号が入力された場合に前記報知手段の報知状態を第１の状態に制御し、前記異常検出手段によって異常が検出された場合に前記報知手段の報知状態を第１の状態とは異なる第２の状態に制御する異常駆動判別手段と、を備え、前記異常駆動判別手段は、前記報知手段の報知状態を前記第２の状態に制御している状況下で前記所定の外部信号とは異なる第２の外部信号が前記外部入力手段へ入力された場合に、前記報知手段の報知状態を前記第１の状態へ戻す制御を行うことを特徴としている。また、請求項６記載の発明は、外部信号を入力するための外部入力手段と、電動機を用いた回転機構を有して構成され時刻を表示する表示手段と、前記電動機の駆動異常を検出する異常検出手段と、前記外部入力手段によって所定の外部信号が入力された場合に前記表示手段の表示状態を第１の状態に制御し、前記異常検出手段によって異常が検出された場合に前記表示手段の表示状態を第１の状態とは異なる第２の状態に制御する異常駆動判別手段と、を備え、前記異常検出手段は、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出することを特徴としている。また、請求項７記載の発明は、外部信号を入力するための外部入力手段と、電動機を用いた回転機構を有して構成され時刻を表示する表示手段と、前記電動機の駆動異常を検出する異常検出手段と、前記外部入力手段によって所定の外部信号が入力された場合に前記表示手段の表示状態を第１の状態に制御し、前記異常検出手段によって異常が検出された場合に前記表示手段の表示状態を第１の状態とは異なる第２の状態に制御する異常駆動判別手段と、を備え、前記異常駆動判別手段は、前記表示手段の表示状態を前記第２の状態に制御している状況下で前記所定の外部信号とは異なる第２の外部信号が前記外部入力手段へ入力された場合に、前記表示手段の表示状態を前記第１の状態へ戻す制御を行うことを特徴としている。
【手続補正１０】
【補正対象書類名】明細書
【補正対象項目名】００１８
【補正方法】変更
【補正の内容】
【００１８】
また、請求項８記載の発明は、外部信号を入力するための外部入力手段と、電動機を用いた回転機構を有して構成され時刻を表示する表示手段を有し、使用者に報知を行う報知手段と、前記電動機へ駆動電力を供給するための蓄電手段の蓄電電圧に対応する電圧値を検出するとともに、検出した電圧と所定の電圧とを比較する比較手段と、前記外部入力手段によって所定の外部信号が入力された場合に前記蓄電手段からの放電を開始し、前記比較手段による比較結果が所定の条件を満足した場合に前記蓄電手段からの放電を停止する放電制御手段と、前記電動機の駆動異常を検出する異常検出手段と、前記外部入力手段によって所定の外部信号が入力された場合に前記報知手段の報知状態を第１の状態に制御し、前記異常検出手段によって異常が検出された場合に前記報知手段の報知状態を第１の状態とは異なる第２の状態に制御する異常駆動判別手段と、を備えることを特徴としている。また、請求項９記載の発明は、外部信号を入力するための外部入力手段と、電動機を用いた回転機構を有して構成され時刻を表示する表示手段と、前記電動機へ駆動電力を供給するための蓄電手段の蓄電電圧に対応する電圧値を検出するとともに、検出した電圧と所定の電圧とを比較する比較手段と、前記外部入力手段によって所定の外部信号が入力された場合に前記蓄電手段からの放電を開始し、前記比較手段による比較結果が所定の条件を満足した場合に前記蓄電手段からの放電を停止する放電制御手段と、前記電動機の駆動異常を検出する異常検出手段と、前記外部入力手段によって所定の外部信号が入力された場合に前記表示手段の表示状態を第１の状態に制御し、前記異常検出手段によって異常が検出された場合に前記表示手段の表示状態を第１の状態とは異なる第２の状態に制御する異常駆動判別手段と、を備えることを特徴としている。また、請求項１０記載の発明は、請求項８又は９記載の発明において、前記異常検出手段は、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出することを特徴としている。また、請求項１１記載の発明は、請求項８記載の発明において、前記異常駆動判別手段は、前記報知手段の報知状態を前記第２の状態に制御している状況下で前記所定の外部信号とは異なる第２の外部信号が前記外部入力手段へ入力された場合に、前記報知手段の報知状態を前記第１の状態へ戻す制御を行うことを特徴としている。また、請求項１２記載の発明は、請求項９記載の発明において、前記異常駆動判別手段は、前記表示手段の表示状態を前記第２の状態に制御している状況下で前記所定の外部信号とは異なる第２の外部信号が前記外部入力手段へ入力された場合に、前記表示手段の表示状態を前記第１の状態へ戻す制御を行うことを特徴としている。また、請求項１３記載の発明は、外部信号を入力するための外部入力手段と、電動機を用いた回転機構を有して構成され時刻を表示する表示手段を有し、使用者に報知を行う報知手段と、前記前記電動機へ駆動電力を供給するための蓄電手段の蓄電電圧に対応する電圧値を検出するとともに、検出した電圧と所定の電圧とを比較する比較手段と、前記外部入力手段によって所定の外部信号が入力された場合に前記報知手段の報知状態を第１の状態に制御し、その後、前記蓄電手段が蓄電され前記比較手段による比較結果が所定の条件を満足した場合に前記報知手段の報知状態を第１の状態とは異なる第２の状態に制御する充電状態判別手段と、前記電動機の駆動異常を検出する異常検出手段と、前記外部入力手段によって所定の外部信号が入力された場合に前記報知手段の報知状態を第３の状態に制御し、前記異常検出手段によって異常が検出された場合に前記報知手段の報知状態を第３の状態とは異なる第４の状態に制御する異常駆動判別手段と、を備え、前記異常検出手段は、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出することを特徴としている。また、請求項１４記載の発明は、外部信号を入力するための外部入力手段と、電動機を用いた回転機構を有して構成され時刻を表示する表示手段と、前記電動機へ駆動電力を供給するための蓄電手段の蓄電電圧に対応する電圧値を検出するとともに、検出した電圧と所定の電圧とを比較する比較手段と、前記外部入力手段によって所定の外部信号が入力された場合に前記表示手段の表示状態を第１の状態に制御し、その後、前記蓄電手段が蓄電され前記比較手段による比較結果が所定の条件を満足した場合に前記表示手段の表示状態を第１の状態とは異なる第２の状態に制御する充電状態判別手段と、前記電動機の駆動異常を検出する異常検出手段と、前記外部入力手段によって所定の外部信号が入力された場合に前記表示手段の表示状態を第３の状態に制御し、前記異常検出手段によって異常が検出された場合に前記表示手段の表示状態を第３の状態とは異なる第４の状態に制御する異常駆動判別手段と、を備え、前記異常検出手段は、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出することを特徴としている。また、請求項１５記載の発明は、外部信号を入力するための外部入力手段と、電動機を用いた回転機構を有して構成され時刻を表示する表示手段を有し、使用者に報知を行う報知手段と、前記電動機へ駆動電力を供給するための蓄電手段の蓄電電圧に対応する電圧値を検出するとともに、検出した電圧と所定の電圧とを比較する比較手段と、前記外部入力手段によって所定の外部信号が入力された場合に前記報知手段の報知状態を第１の状態に制御し、その後、前記蓄電手段が蓄電され前記比較手段による比較結果が所定の条件を満足した場合に前記報知手段の報知状態を第１の状態とは異なる第２の状態に制御する充電状態判別手段と、前記電動機の駆動異常を検出する異常検出手段と、前記外部入力手段によって所定の外部信号が入力された場合に前記報知手段の報知状態を第３の状態に制御し、前記異常検出手段によって異常が検出された場合に前記報知手段の報知状態を第３の状態とは異なる第４の状態に制御する異常駆動判別手段と、を備え、前記異常駆動判別手段は、前記報知手段の報知状態を前記第４の状態に制御している状況下で前記所定の外部信号とは異なる第２の外部信号が前記外部入力手段へ入力された場合に、前記報知手段の報知状態を前記第３の状態へ戻す制御を行うことを特徴としている。また、請求項１６記載の発明は、外部信号を入力するための外部入力手段と、電動機を用いた回転機構を有して構成され時刻を表示する表示手段と、前記電動機へ駆動電力を供給するための蓄電手段の蓄電電圧に対応する電圧値を検出するとともに、検出した電圧と所定の電圧とを比較する比較手段と、前記外部入力手段によって所定の外部信号が入力された場合に前記表示手段の表示状態を第１の状態に制御し、その後、前記蓄電手段が蓄電され前記比較手段による比較結果が所定の条件を満足した場合に前記表示手段の表示状態を第１の状態とは異なる第２の状態に制御する充電状態判別手段と、前記電動機の駆動異常を検出する異常検出手段と、前記外部入力手段によって所定の外部信号が入力された場合に前記表示手段の表示状態を第３の状態に制御し、前記異常検出手段によって異常が検出された場合に前記表示手段の表示状態を第３の状態とは異なる第４の状態に制御する異常駆動判別手段と、を備え、前記異常駆動判別手段は、前記表示手段の表示状態を前記第４の状態に制御している状況下で前記所定の外部信号とは異なる第２の外部信号が前記外部入力手段へ入力された場合に、前記表示手段の表示状態を前記第３の状態へ戻す制御を行うことを特徴としている。また、請求項１７記載の発明は、電動機を用いた回転機構を有する表示手段を駆動させて時刻表示を行う電子時計の検査方法において、前記電子時計に、所定の外部信号が入力された場合に、第１の状態で表示が為されるように前記表示手段の表示状態を制御する第１のステップと、前記第１の状態で表示が為されるように前記表示手段の表示状態を制御した後、前記電動機の駆動中に、前記電動機の通常の駆動を行うための通常駆動パルスよりも実効電力が大きい補助パルスでのパルス駆動が２以上の所定回数以上連続して行われたことを検出した場合に、前記表示手段の表示状態を第１の状態とは異なる第２の状態へ切り替える第２のステップと、を行わせることを特徴としている。また、請求項１８記載の発明は、電動機を用いた回転機構を有する表示手段を駆動させて時刻表示を行う電子時計の検査方法において、前記電子時計に、所定の外部信号が入力された場合に前記電動機へ駆動電力を供給するための蓄電手段からの放電を開始するとともに、前記蓄電手段の蓄電電圧に対応する電圧値を検出し、検出された電圧と所定の電圧とを比較して、その比較結果が所定の条件を満足した場合に前記蓄電手段からの放電を停止する第１のステップと、所定の外部信号が入力された場合に、第１の状態で表示が為されるように前記表示手段の表示状態を制御し、その後、前記電動機の駆動異常が検出された場合に前記表示手段の表示状態を第１の状態とは異なる第２の状態へ切替える第２のステップと、を行わせることを特徴としている。また、請求項１９記載の発明は、電動機を用いた回転機構を有する表示手段を駆動させて時刻表示を行う電子時計の検査方法において、 前記電子時計に、所定の外部信��が入力された場合に第１の状態で表示が為されるように前記表示手段の表示状態を制御し、その後、前記電動機へ駆動電力を供給するための蓄電手段を蓄電するとともにその蓄電電圧に対応する電圧値を検出し、検出された電圧と所定の電圧との比較結果が所定の条件を満足した場合に前記第１の状態とは異なる第２の状態で表示が為されるように前記表示手段の表示状態を制御する第１のステップと、所定の外部信号が入力された場合に第３の状態で表示が為されるように前記表示手段の表示状態を制御し、その後、前記電動機の駆動異常が検出された場合に前記第３の状態とは異なる第４の状態で表示が為されるように前記表示手段の表示状態を制御する第２のステップと、を行わせ、前記第２のステップにおいては、前記電動機の駆動中に、前記電動機の通常の駆動を行うための通常駆動パルスよりも実効電力が大きい補助パルスでのパルス駆動が２以上の所定回数以上連続して行われた場合に、駆動異常を検出することを特徴としている。また、請求項２０記載の発明は、電動機を用いた回転機構を有する表示手段を駆動させて時刻表示を行う電子時計の検査方法において、前記電子時計に、所定の外部信号が入力された場合に第１の状態で表示が為されるように前記表示手段の表示状態を制御し、その後、前記電動機へ駆動電力を供給するための蓄電手段を蓄電するとともにその蓄電電圧に対応する電圧値を検出し、検出された電圧と所定の電圧との比較結果が所定の条件を満足した場合に前記第１の状態とは異なる第２の状態で表示が為されるように前記表示手段の表示状態を制御する第１のステップと、所定の外部信号が入力された場合に第３の状態で表示が為されるように前記表示手段の表示状態を制御し、前記電動機の駆動異常が検出された場合に前記第３の状態とは異なる第４の状態で表示が為されるように前記表示手段の表示状態を制御する第２のステップと、を行わせ、前記第２のステップにおいては、前記表示手段の表示状態を前記第４の状態に制御している状況下で前記所定の外部信号とは異なる第２の外部信号が入力された場合に、前記表示手段の表示状態を
前記第３の状態へ戻す制御を行わせることを特徴としている。また、請求項２１記載の発明は、電動機を用いた回転機構を有する表示手段を駆動させて時刻表示を行う電子時計の検査方法において、 前記電子時計に、所定の外部信号が入力された場合に、第１の状態で表示が為されるように前記表示手段の表示状態を制御し、その後、前記電動機の駆動異常が検出された場合に、前記表示手段の表示状態を第１の状態とは異なる第２の状態へ切り替える第１のステップと、前記表示手段の表示状態を前記第２の状態に切替えた後に、前記所定の外部信号とは異なる第２の外部信号が入力された場合に、前記表示手段の表示状態を前記第１の状態へ戻す制御を行う第２のステップとを行わせることを特徴としている。
【手続補正１１】
【補正対象書類名】明細書
【補正対象項目名】００７０
【補正方法】変更
【補正の内容】
【００７０】
【発明の効果】
上述したように、本発明によれば、従来に比べ、電動機を用いた回転機構を有する表示手段を駆動させて時刻表示を行う電子時計について、その電動機の異常を確実に検出することが可能になるという効果が得られる。